Podtech/llm-jp-corpus-v4-ja_patent huggingface dataset:
(57)【要約】【課題】    速度制御を低下させずに回路とコストを削減する。【解決手段】サーボモータ９を駆動するサーボ制御装置において、速度制御手段８を備え、電流制御に代えて応答性の高い速度制御で制御する。【選択図】  図２
2006217705.tif 000002
【特許請求の範囲】
【請求項１】
サーボモータを駆動するサーボ制御装置において、速度制御手段を備え、電流制御に代えて応答性の高い速度制御手段で制御することを特徴とする電流制御方法。
【請求項２】
電流手段に代えて速度の差分を用いて電流等の外乱を補い制御することを特徴とする請求項１に記載の電流制御方法。
【請求項３】
電流手段に代えて位置検出器の分解能を上げ、電流等の外乱を補い高分解能の速度で制御することを特徴とする請求項１に記載の電流制御方法。
【請求項４】
電流手段に代えて電流を推定し、電流等の外乱を補い制御をすることを特徴とする請求項１に記載の電流制御方法。
【発明の詳細な説明】
【技術分野】
【０００１】
本発明はサーボモータを駆動するサーボ制御装置において、トルク制御や速度制御、位置制御等を行うサーボ制御装置の電流制御方法に関する。
【背景技術】
【０００２】
従来、サーボの制御は、例えば速度制御の場合、図２のように速度指令より速度フィードバックを差し引いて速度制御し、その出力のトルク指令を電流指令に変換していた。そして図５のように、電流指令から電流フィードバックを差し引いて電流制御していた。これは速度制御よりも電流制御のほうが分解能が高く、かつ応答性が早いためであり、電流やトルク等の外乱を抑えることができるためである。なお、図５においては、１は電流制御であり電流指令より電流フィードバックを差引き、電流指令どおりの電流に制御する。
このような従来技術の一つとして特許文献１では、駆動電流の大きさに対して発振が生じない最大電流ループゲインの関係を近似した関数よりゲインを求め、モータを駆動していた。
【特許文献１】特開平６−３３５２７９
【発明の開示】
【発明が解決しようとする課題】
【０００３】
しかしながら従来の方法では、速度の分解能を上げて更に応答性を高めようとすると、電流制御の分解能が悪かったり直線性やばらつきがあったりすると、それ以上応答を高められないという問題があった。また電流検出器や制御等の回路があるため、コストがかかり回路を必要とするという問題もあった。特許文献1の場合でも電流ループの帯域不足は解消するが、それでも小さな電流迄制御できない分解能やばらつき等の問題はあった。本発明はこのような様々な問題点に鑑みてなされたものであり、電流制御の代わりに応答性の高い速度制御等を用いて、速度制御を低下させず電流制御を補正して回路とコストを削減することを目的とする。
【課題を解決するための手段】
【０００４】
上記課題を解決するため本発明は、請求項１では電流制御に代えて応答性の高い速度制御で制御することを特徴としている。  請求項２では電流制御に代えて速度の差分を用いて制御することを特徴としている。  請求項３では電流制御に代えて電流を推定して制御することを特徴としている。
【発明の効果】
【０００５】
本発明によれば、電流制御がなくてもこれを補正することにより、同等の応答を得ることができ、電流検出器や制御等の回路を減らして簡単化することができるという効果がある。  
【発明を実施するための最良の形態】
【０００６】
以下、本発明の方法の具体的実施例について、図に基づいて説明する。
図１において、１はマイクロコンピュータであり、２は電流アンプ、３はベースドライブ回路、４はパワートランジスタモジュール、５はモータ、６はエンコーダである。
このように構成された回路において、図２の制御ブロック図を用いてその動作について説明する。まずマイクロコンピュータ１が位置や速度といった指令を外部のコントローラ等から受取る。そして図２の位置ループゲイン１のように、位置制御の場合は位置指令より位置フィードバックを差引いてゲインＫｐをかけて位置制御を行い速度指令を出力し、図２の速度制御８のように速度指令から速度フィードバックを差し引いて例えば比例積分制御して速度制御をする。そしてその出力の電流指令や電流制御の出力でベースドライブ駆動回路３を通して、パワートランジスタ４を駆動してモータ５を制御する。    
まず電流制御の代わりにトルクで補償した実施例について説明する。図３のようにモータモデル１１で速度を微分してそれに係数とイナーシャ分をかけてフィードバックする。このループは速度制御と同じか早い周期で行い、電流制御の代わりにトルクで補償する。トルク指令τrefに対するトルクτは（１）式のようになり、
τ／τref＝  Ｋ／（Ｋ＋１）      （１）
係数Ｋが大きければ追従性は大きくなるが、速度制御との関係で決められる。通常は速度制御の周期が早ければ係数は１程度でも良く、また負荷イナーシャに応じて決めても良い。これにより電流制御がなくても同等のことができる。
次に電流制御の代わりに電流を推定して補償した実施例について説明する。図４のように電流アンプ１２の出力よりモータモデル１４を用いて電流を算出する。算出した電流で電流アンプ１２へフィードバックする。この電流アンプの出力でパワートランジスタ４を駆動してモータ５を制御する。電流自体は推定するのでこのままではトルク等の外乱に弱い特性がある。そこで応答性の高い速度制御でそこを補い、速度変動を捕らえてトルク等の外乱を抑える。これにより電流制御がなくてもそれを補うことができる。
【図面の簡単な説明】
【０００７】
【図１】本発明及び従来の具体的実施例の構成図
【図２】制御ブロック図
【図３】電流制御の代わりにトルクで補償した実施例
【図４】電流制御の代わりに電流を推定した電流制御の実施例
【図５】従来の電流制御の構成図
【符号の説明】
【０００８】
１  マイクロコンピュータ、  ２  電流アンプ、     ３  ベースドライブ回路、
４  パワートランジスタモジュール、 ５、９、１３  モータ、
６  エンコーダ、     ７  位置ループゲイン、      ８  速度制御、
１０  積分、  １１  モータモデル、 １２  電流アンプ、
１４  電流推定器、   １５  電流制御
【図１】
2006217705.tif 000003
【図２】
2006217705.tif 000004
【図３】
2006217705.tif 000005
【図４】
2006217705.tif 000006
【図５】
2006217705.tif 000007
(57)【要約】【課題】  本発明の課題は、従来のモータでは改善できない消費電力の低減と、更なる高出力を図るものである。【解決手段】（１）モータのコイルの形状を平たく圧延する。（２）（１）をらせん状に捩じり上げて回転部・可動部・固定子等に巻きつける。またはカップ上ローター等に構成する。（３）（２）のコイル両端末の結線処理を、表裏がなくなるようにメビウス帯様にする。  本発明は以上のような構成からなるスパイラル・メビウス・モータである。【選択図】図２
2006217786.tif 000002
【特許請求の範囲】
【請求項１】
モータのコイルを平たく圧延する。
【請求項２】
請求項１をらせん状に捩じり上げて、回転部、可動部、固定子等に巻きつける。または、カップ状モータ等に構成する。
【請求項３】
請求項２のコイルの両端末を表裏がなくなるように結線処理することを特徴とするモータの製造方法。
【発明の詳細な説明】
【技術分野】
【０００１】この発明は、モータのコイルの形状を平たく圧延して、らせん状に捩じり上げて、その両端末の結線処理を表裏がなくなるように、いわゆるメビウスの帯様にするモータの製造法に関するものである。
【背景技術】
【０００２】従来のモータのコイルの円形の断面と結線処理では、消費電力を低減するのは困難である。
【発明の開示】
【発明が解決しようとする課題】
【０００３】本発明は、従来のモータのコイルの形状と結線処理を変更することで、モータの消費電力を低減し、モータ出力を向上させるものである。
【課題を解決するための手段】
【０００４】本発明は、モータの消費電力を低減し、その出力を向上させるために、次のような手段を発見した。
（Ａ）  コイルを平たく圧延する。
（Ｂ）  （Ａ）を強度の許す範囲でらせん状に捩じり上げて回転部、可動部、固定子等に巻きつける。または、カップ状ローター等に構成する。
（Ｃ）  （Ｂ）の両端末を表裏がなくなるようにメビウスの帯様に接合する。
【発明の効果】
【０００５】このようにすると、モータの出力効率を飛躍的に向上させることができ、国内・国外消費電力の大幅な低減が可能である。なお、本発明は電磁・非電磁を問わず、あらゆるモータに応用可能である。
【発明を実施するための最良の形態】
【０００６】圧延したコイルの捩じり方向は、左回転より右回転の方が更に出力が高まる。
【実施例】
【０００７】以下、本発明の実施例について説明する。
（Ａ）直径０．０８センチの銅線をアイロンで平たく圧延する。
（Ｂ）（Ａ）の銅線に熱を加えて軟らかくして、その強度の許す範囲でらせん状に捩じり上げてその形状を固定させる。それを鉄製の型枠にミシンの動力を利用して高密度に巻き上げ、カップ上に構成する。
（Ｃ）（Ｂ）の銅線の両端末を、表裏がなくなるように半田結線処理する。
（Ｄ）（Ｃ）の中に永久磁石を入れる。
（Ｅ）（Ｄ）にモータケース・軸受・回転軸・コミュテーター・電流の引込み線を取り付けて乾電池で回す。
【産業上の利用可能性】
【０００８】現在、世界中の全発電力の約６割を消費している全てのモータを、本発明品に交換することで、モータ効率が上昇し、電力消費量を低減させることが可能である。しかも、鉄心を不要にすると、省資源化・低コスト化が可能である。
【図面の簡単な説明】
【０００９】
【図１】本発明の実施例のコイルの斜視図である。
【図２】本発明の実施例と、コイルの連結部分を示す斜視図である。
【符号の説明】
１    圧延したコイルを右回転に捩じり上げた図。
２    圧延したコイルを左回転に捻じり上げた図。
３    表面
４    裏面
５    接合部分
６    モータケース
７    軸受Ａ
８    コミュテーター
９    カップ状ローター
１０  シャフト
１１  永久磁石
１２  軸受Ｂ
【図１】
2006217786.tif 000003
【図２】
2006217786.tif 000004
(57)【要約】【課題】  小型で、低コスト、画像品質が良好な画像読取装置を提供する。【解決手段】  画像や表面状態読み取り対象に光を照射する光源と、前記光源により照射され、画像や表面状態読み取り対象により反射された反射光を結像する結像手段と、前記結像された反射光を画像信号に変換する光電変換手段と、を有する画像読取装置で、前記光源は、発光素子の投光側と反対の面に正負の電極を持つＬＥＤを用いたことを特徴とする。【選択図】        図１
2006217270.tif 000002
【特許請求の範囲】
【請求項１】
画像や表面状態読み取り対象に光を照射する光源と、前記光源により照射され、画像や表面状態読み取り対象により反射された反射光を結像する結像手段と、前記結像された反射光を画像信号に変換する光電変換手段と、を有する画像読取装置で、
前記光源は、発光素子の投光側と反対の面に正負の電極を持つＬＥＤを用いたことを特徴とする画像読取装置。
【請求項２】
前記複光源は、ＬＥＤを励起源として蛍光を発光する蛍光ＬＥＤを用いたことを特徴とする請求項１に記載の画像読取装置。
【発明の詳細な説明】
【技術分野】
【０００１】
光源にＬＥＤを用いた、画像読取装置に関するものである。
【背景技術】
【０００２】
従来、光源にＬＥＤを用いた画像読取装置は、投光側の面に電極を持つＬＥＤを用いるものが一般的であった。
【０００３】
光源に一般的なＬＥＤを設置した例としては、特許文献１に明らかにされているような構成が知られている。すなわち、図５において、蛍光灯９１から照射された光束は、透過原稿９２を通って結像レンズ９３によりＣＣＤ９４上に結像される構成である。ここで、蛍光灯９１に着目すると従来、図４のようなＬＥＤ構成を採用している。４１は発光体であり、正極端子４３、正電極４２からの電力供給を受け、発光体４１の上面から負電極および接続ワイヤー４４を介して負極端子４５へと電流を流すことで発光させる仕組みになっている。
【特許文献１】特開平９−２１４６７８号公報
【発明の開示】
【発明が解決しようとする課題】
【０００４】
しかしながら、上記従来例では装置によって投光側の面に電極を持つことから、画像や表面状態読み取り対象に照射した光の強度分布にムラがでるため、画像品質を良好にするためにはムラ補正処理回路が必要になり、装置が大型で高価になるという問題点があった。
【０００５】
本発明では、小型で、低コスト、画像品質が良好な画像読取装置を提供することを目的とする。
【課題を解決するための手段】
【０００６】
上記目的を達成するため、第１の発明は、光源に、発光素子の投光側と反対の面に正負の電極を持つＬＥＤを用いた。第２の発明は、光源に、発光素子の投光側と反対の面に正負の電極を持つＬＥＤを励起源として蛍光を発光する蛍光ＬＥＤを用いたことを特徴とする。
【０００７】
すなわち本発明は、画像や表面状態読み取り対象に光を照射する光源と、前記光源により照射され、画像や表面状態読み取り対象により反射された反射光を結像する結像手段と、前記結像された反射光を画像信号に変換する光電変換手段と、を有する画像読取装置で、前記光源は、発光素子の投光側と反対の面に正負の電極を持つＬＥＤを用いたことを特徴とする画像読取装置である。
【発明の効果】
【０００８】
本発明によれば、小型で、低コスト、画像や表面状態読み取り対象品質が良好な画像読取装置を提供することができる。
【発明を実施するための最良の形態】
【０００９】
本発明の実施の形態を、図面を参照して説明する。
【実施例】
【００１０】
本発明は、例えば、図１に示すような内部構成をもつ小型な画像読取装置に適用される。図１で、１は、画像や表面状態読み取り対象に光を照射する光源で、発光素子の投光側と反対の面に正負の電極を持つＬＥＤからなる。光源１が点灯するとその光源１からの光は、画像や表面状態読み取り対象２を照射する。
【００１１】
画像や表面状態読み取り対象を照射している光は、電極やワイヤーにより光路を妨げられることのない光なので、ムラの少ない良好な品質の読み取り画像をもたらすに十分な光強度分布をもっている。
【００１２】
画像や表面状態読み取り対象２からの反射した光は、結像手段３のレンズを介して光電変換手段のＣＭＯＳ等のイメージセンサ４に結像され画像電気信号に変換される。
【００１３】
５はケースで結像手段３のレンズを保持するとともに、光電変換手段のイメージセンサ４とＬＥＤ光源１を搭載した回路基板６を所定の位置関係で保持している。
【００１４】
図２および図３は、前述した画像読取装置に使用される光源の構成を表すものである。
【００１５】
図２は本発明に用いられるＬＥＤ光源である。２１は発光体であり、正極端子２３から電力供給され正電極２２と接触しており、かつ負電極２４と接触していて負極端子２５に及ぶ構成を採る事で発光するものである。本構成では、図２の発光体の下部に電極群を取り付けたため光源からの照射光を妨げることがなく安定した光量を確保できる。
【００１６】
図３においては、図２の発光体３１上に蛍光体３７を設けた蛍光ＬＥＤの構成である。本構成も同様に、発光体３１下部に電極群を設けたため同様の効果を奏するものである。
【００１７】
以上の例は、一例として掲げたものであり、本発明を限定するものではない、
すなわち本発明は、前述した好ましい実施例に限られるものではなく、画像や表面状態読み取り対象の色や表面形状などに応じて、  光源側に光を集光や発散する照明レンズを用いることや、光の経路を変更するミラーやプリズムなどを用いること、また、これらを組み合わせて用いてもよい。
【００１８】
結像側または光源側に、イメージセンサの分光特性や画像や表面状態読み取り対象の特性に応じて、特定の波長の光を遮断または透過する光学フィルターを用いるなど、本発明の要旨を逸脱しない範囲で、種々の態様にて実施可能なことは勿論である。
【図面の簡単な説明】
【００１９】
【図１】本発明を適用した小型な画像読取装置の内部構成を示す要部断面図。
【図２】本発明実施例の画像読取装置に用いたＬＥＤ光源の構造を示す図である。
【図３】本発明実施例の画像読取装置に用いた蛍光ＬＥＤ光源の構造を示す図である。
【図４】本発明実施例の画像読取装置に用いた蛍光ＬＥＤ光源の構造を示す図である。
【図５】従来の、光源ＬＥＤの内部構成を示す断面図。
【符号の説明】
【００２０】
１  ＬＥＤ
２  画像や表面状態読み取り対象
３  結像レンズ
４  イメージセンサ
５  ケース
６  基板
２１  発光体
２２  正電極
２３  正極端子
２４  負電極
２５  負極端子
２６  モールドパッケージ
３１  発光体
３２  正電極
３３  正極端子
３４  負電極
３５  負極端子
３６  モールドパッケージ
３７  蛍光体
４１  発光体
４２  正電極
４３  正極端子
４４  負電極と接続ワイヤー
４５  負極端子
４６  モールドパッケージ
【図１】
2006217270.tif 000003
【図２】
2006217270.tif 000004
【図３】
2006217270.tif 000005
【図４】
2006217270.tif 000006
【図５】
2006217270.tif 000007
(57)【要約】  【課題】  鍋のフタを平面状にし、フタの周囲近辺に全周にわたって土手状の出っ張りを設け、把手をフタの周囲部分に取り付けることによって、滑り落ちることなくフタに物を置ける機能を持たせる。      【解決手段】  鍋のフタの（１１）の周囲近辺に土手状の出っ張り（１４）を設け、把手（１２）をフタの周囲部分（１３）に取り付けたことを特徴とする。【選択図】図１
2006217993.tif 000002
【特許請求の範囲】
【請求項１】
把手を有する鍋のフタで有って把手がフタの中心でなく周囲に取り付けられている為、保温又は加熱したい物を置く等フタに伝わった熱を有効に利用できるよう現在の凸状で無く平面状を特徴とする鍋のフタ。
【請求項２】
前記鍋のフタは、フタの上に置いた物が落下しないようフタの周囲付近が全周にわたって土手状に上部に出っ張って居る事を特徴とする鍋のフタ。
【発明の詳細な説明】
【技術分野】
【０００１】
本発明は、調理に使用されている金属性鍋のフタ、ガラス製鍋のフタ、その他の材質の鍋のフタに関する。
【０００２】
従来の鍋のフタはそれぞれ材質、形、デザインをこらした製品が生産、使用されている。
しかしながら、それらは全て構造的には単に鍋にフタをしておくだけの物で有る。
【０００３】
鍋のフタの機能は鍋の中の物を調理、保温したり虫などが入らぬよう保存したり虫などが入らぬよう保存しておくことで有る。
特にフタの上は熱が伝わり温まる場所であるが把手が中心に付いており、物を置ける機能を有する訳ではない。
【０００４】
なお、本願発明に関する公知技術として次の特許文献1を挙げることができる。
【０００５】
【特許文献１】特開11-001256号公報
【発明の開示】
【発明が解決しようとする課題】
【０００６】
上述の如く、従来の鍋のフタは、調理、保温、保存に有効に働く機能であるが、それが有する熱、スペースの利用価値は皆無で有る。
【０００７】
また、従来の鍋のフタは把手がフタの中心付近に設けられている為、フタを開閉する際、熱くなった把手を持つのに火傷しないよう布などを用い把むという不便さのあるのが現状である。
【０００８】
本発明は、このような点に鑑みて成されたものであり、その目的は把手をフタの周囲部分に取り付け、フタを平面状にすることでフタの上に皿などを置くことができ、また皿などをフタ面の熱で温めておくことが出来るようにすることに有る。
【課題を解決するための手段】
【０００９】
上述の目的を達成する本発明の鍋のフタは、平面状の鍋フタの周囲部分に把手を取り付け、またフタ上面に全周にわたってすべり落ち防止用の土手状の出っ張りが有ることを特徴とする。
【発明の効果】
【００１０】
以上説明したように、本発明によれば鍋のフタを平面状にし、把手をフタの周囲部分に取り付けるようにしたので、フタ上面に物を置くことが可能となる。この鍋のフタを皿置きとして用いることで、自動的に温められた皿に料理を盛り付けることが可能となり、また調理器具などを置くスペースとしても極めて有効である。また、平面状の為、重ねて置く等収納にも便利で有る。
また、本発明によれば把手をフタの周囲部分に取り付けられるようにしたので熱くなった把手、及び鍋から上る蒸気により火傷するなどの危険が無く開閉が可能となる。
【発明を実施するための最良の形態】
【００１１】
以下、本発明の実施の形態を図面に基づき詳細に説明する。
【００１２】
図1〜図2は、本発明の第1の実施の形態に係り、図1はその外観斜視図、図2はその縦断面図で有る。
【００１３】
図1、図2に示すように本鍋のフタ（１１）は、周囲部分に把手（１２）を取り付け、物を置けるように平面状にしたフタの周囲近辺に全周にわたり土手状の出っ張り（１４）を有する構造体である。
【００１４】
鍋のフタ（１１）には把手が取り付けられる。把手（１２）は鍋のフタ（１１）の重さを支えられるよう鍋のフタ（１１）と一体化、又はフタの周囲部分（１３）にボルトなどを使って固定されることが望ましい。
【００１５】
また平面状にしたフタの周囲近辺に全周にわたって土手状の出っ張り（１４）を設けることにより、フタ上面に置いた物のすべり落ち、液体のこぼれを防止することが可能で有る。
【００１６】
鍋のフタ（１１）の材質は、構造体として適当な任意の材質の物が利用でき形状、大きさも任意に選択することができる。また、用途も鍋のフタを目的とするものに限られず主として物を置く平面として広く用いることが可能である。
【００１７】
また、把手（１２）も鍋のフタ（１１）同様、材質、形状、大きさを任意に選択することが可能である。
【産業上の利用可能性】
【００１８】
本発明は調理用器具を製造、販売する産業分野で利用することができる。
【図面の簡単な説明】
【００１９】
【図１】本発明の第1の実施の形態に係る鍋のフタの外観斜視図である。
【図２】図1の鍋のフタの中央縦断面図である。
【符号の説明】
【００２０】
（１１） 鍋のフタ
（１２） 把手
（１３） フタの周囲部分
（１４） 土手状の出っ張り
【図１】
2006217993.tif 000003
【図２】
2006217993.tif 000004
(57)【要約】【課題】泡盛を製造する過程で出来る、もろみ成分のアミノ酸効果を十分に発揮させる事を目的として加工した食品である。【解決手段】もろみの主成分であるアミノ酸を効率よく働かせる為に、ひらみレモン等の果実を乾燥させて粉状にした物を添加して、顆粒及び粒状に加工したことを特徴とする。【特許請求の範囲】
【請求項１】
もろみ粉に、ひらみレモン等の果実粉末を添加した、顆粒及び粒状の加工食品
【発明の詳細な説明】
【発明の詳細な説明】
【技術分野】
【０００１】  この発明は、泡盛を製造する過程で出来る通称もろみを乾燥させて出来た粉に、ひらみレモン等の果実を乾燥させて、粉状にした物と混ぜ合わせて、顆粒及び粒状に加工した食品である。
【背景技術】
【０００２】  従来、泡盛を製造する過程で出来る通称もろみを液状に加工した飲料水が有る。又、それらを乾燥させて出来た粉状の食品が有る。
【発明が解決しようとする課題】
【０００３】  これまで、もろみを液状に加工した飲料水、もろみを乾燥させた粉状のアミノ酸を含んだ食品は有った。しかし、アミノ酸の栄養効果を促進するような物質の添加、加工、したものは無かった。
【課題を解決するための手段】
【０００４】  もろみの主成分であるアミノ酸を効率よく働かせる為に、ひらみレモン等の、果実を乾燥させて粉状にした物を混合させて、顆粒及び粒状に加工した食品。
【発明を実施するための最良の形態】
【０００５】  以下、本発明の実施の形態を説明する。
（１）Ｃ＋もろみ粒は、もろみの主成分であるアミノ酸を効率よく働かせる為に、ひらみレモン等の果実に含まれるビタミンＣを添加して、食品として加工した。
（２）Ｃ＋もろみ粒を、食品として体内に取入れた時、始めて、もろみ粉と、ひらみレモン等の粉状にした固形物が、新鮮な状態で反応する為に、顆粒及び粒状の形状に加工した。
（３）Ｃ＋もろみ粒は、製品形状を顆粒及び粒状に加工したので、従来品の液体状や粉状製品に比べると携帯性が向上し、利便性が上がる。
【発明の効果】
【０００６】  本発明を使用することによって、もろみの主成分であるアミノ酸は、ひらみレモン等と共に効率よく体内に取り入れることが出来る。しかも、液体や粉ではないので持ち歩きも非常に楽になった。
(57)【要約】【課題】パンツタイプの紙おむつでは補いきれないオス犬の尿漏れ対策としてオス犬の泌尿器の形状に合った、オス犬専用の腹巻き状のおむつをつくることによって、その問題を解決する。【解決手段】パットの上下にギャザーを入れ、返しをつくり、そのくぼみとなる部分にオス犬の泌尿器をあてがい両脇のベルトにて背上でつなぎ合わせ、腹巻き状のおむつにすることによって体にフィットする形状にした。【選択図】  図４
2006217907.tif 000002
【特許請求の範囲】
【請求項１】
オス犬の泌尿器に吸収パット本体をあて、背上にて固定する、腹巻きタイプのオス犬専用の紙おむつ。
【発明の詳細な説明】
【技術分野】
【０００１】本発明はオス犬の粗相（尿漏れ）を解決するためにおむつのパット部分にギャザーを入れ、くぼみを作りおむつ自体を腹巻状にすることによりオス犬の泌尿器にぴったりとあったオス犬専用の紙おむつです。
【背景技術】
【０００２】従来の犬用紙おむつにはオス犬専用のものがありませんでした。
【発明の開示】
【発明が解決しようとする課題】
【０００３】従来犬用の紙おむつはオス・メス兼用のパンツタイプのもので販売されています。しかし、オス・メスの泌尿器の位置は全く異なるものであって、パンツタイプのおむつではオス犬にはその機能を充分に発揮できていません。オス犬専用のおむつを作ることによりその尿漏れを解消するための考案です。
【課題を解決するための手段】
【０００４】パット１の上下に強めのギャザーを入れることにより、オス犬の泌尿器全体を包み込み、ベルトにてパットの両端を背上でつなぎ合わせ腹巻き状にすることで、個々のオス犬の泌尿器の位置にあわせてパット部分をぴったりとあてがえるよう、考慮しました。
【発明の効果】
【０００５】従来はなかったくぼみのあるパットを使用し、腹巻状のおむつにすることによって、パンツタイプには決してないフィット感が得られ、オス犬の尿漏れの解消が得られます。犬は快適かつ清潔に、飼い主はパンツタイプのおむつに比べ装着が安易となります。
【実施例１】
【０００６】おむつは、オス犬の泌尿器に本体のパット部分をあて、オス犬を静止させた状態で本体のベルト部分に付いている粘着部４で左右のベルト部分をウエスト上部で貼り付け、固定させます。
【実施例２】サイズはＳＭＬと犬の泌尿器の大きさや用途に合わせて、パット部のサイズや厚みに変化をもたせます。また、外出先への携帯を考えて、視覚的にも楽しめるように色柄にも変化をもたせます。
【図面の簡単な説明】
【０００７】
【図１】  （イ）本体のギャザーを入れてない状態である。  （ロ）本体の上下にギャザーを入れた状態である。
【図２】  本体の横断面図である。
【図３】  本体の立体図である。
【図４】  本体をオス犬に装着した時の図である。
【符号の説明】
【０００８】        １  吸収パット本体
２  横漏れ防止用の羽
３  ベルト部分
４  ベルト粘着部分
５  ギャザー部分
６  対象となるオス犬のモデル
【図１】
2006217907.tif 000003
【図２】
2006217907.tif 000004
【図３】
2006217907.tif 000005
【図４】
2006217907.tif 000006
(57)【要約】      （修正有）【課題】製作容易な、寄せ植え用の折りたたみ式又は着脱式ポケット付き鉢を提供する。【解決手段】製造時に、鉢本体１の側壁に本体取付穴２をあけておき、フラワーポケット本体３をビスで着脱可能に取り付ける。ポケット６の材質は、使わないときには折りたためるように、布などとするがポケットとして対応できる材質であれば何でもよい。ビス取り付け孔４をあけたポケット取付板５は、どんな型の鉢にも対応できるよう、アルミ板又はソフト樹脂を使用する。【選択図】図１
2006217905.tif 000002
【特許請求の範囲】
【請求項１】
・従来、一般で市販されている鉢、特に寄せ植えをしようとする時、鉢の横に穴をあけ、ポケットをつける作業は大変であった。それを簡単に解決する為に、鉢の横に穴をあけてフラワーポケット（折りたたみ式・又は、着脱式）をつけることによって、本発明は、この課題を解消するためになされたものである。（どんな型の鉢にも対応できる）
【発明の詳細な説明】
【技術分野】
【０００１】本発明は、花を寄せ植えしようとする時、鉢の横に、穴をあけフラワーポケットを装着し、そこに花が寄せ植え出来るように考案したものである。
【背景技術】
【０００２】従来は、鉢にフラワーポケットのついた鉢はなかった。
【特許文献１】
【発明の開示】
【発明が解決しようとする課題】
【０００３】  従来、一般で市販されている鉢、特に寄せ植えをしようとする時、鉢の横に穴をあけ、ポケットをつける作業は大変であった。それを簡単に解決する為に、鉢の横に穴をあけてフラワーポケット（折りたたみ式・又は、着脱式）をつけることによって、本発明は、この課題を解消するためになされたものである。
【課題を解決するための手段】
【０００４】鉢の製造時に、鉢の横に、穴をあけてフラワーポケットをつけることによって誰でも簡単に作業が出来るようにした。
【発明の効果】
【０００５】フラワーポケットの鉢の出現によって、ご婦人も簡単に寄せ植えが出来るようになる。  また色々な型の鉢につけることが出来る。
【実施例１】
【０００６】フラワーポケットは、色々な型の鉢につけることが出来る。
【図面の簡単な説明】
【０００７】
【図１】本発明の正面図である。
【図２】本発明の側面図である
【符号の説明】
【０００８】１  鉢本体
２  横穴（鉢の大きさによって穴の数を増やすことが出来る）
３  フラワーポケット本体
４  割りビシ取り付け部
５  アルミ板又はソフト樹脂でもよい（色々な鉢の形状に対応出来る）
６  布ポケット（ポケットとして対応出来る材質であれば何でもよい）
【図１】
2006217905.tif 000003
【図２】
2006217905.tif 000004
(57)【要約】【課題】  使用する水、にがりの利用効率を高め、また、栄養成分の流出を減少させ、さらには均一な酸素供給をも行いながら、生産コストの低減、品質を向上することができる効率的発芽促進法を提供する。【解決手段】  発芽工程において、水、にがり、又は水とにがりの混合液を、霧状の微細な粒子（水滴）にした状態で、空気中において、材料となる種子と接触させることを特徴とした発芽促進法。【選択図】  図１
2006217904.tif 000002
【特許請求の範囲】
【請求項１】
発芽工程において、水、にがり、又は水とにがりの混合液を、霧状の微細な粒子（水滴）にした状態で、空気中において、材料となる種子と接触させることを特徴とした発芽促進法。
【請求項２】
請求項１の工程を経て、製造された食用発芽穀類。
【請求項３】
請求項１の原理を使用した発芽促進装置。
【発明の詳細な説明】
【技術分野】
【０００１】  本発明は、食用発芽穀類の製造方法に関する。
【背景技術】
【０００２】  従来の発芽穀類食品（一般に発芽米、発芽玄米と称するものなど）の製造における発芽工程において、（材料となる種子に供される）水、または水とにがりの混合液は、一般に侵漬法と呼ばれる方法により、供されていた。侵漬法とは、タンクに水を張り、所定の希釈率になるように、にがりを混入し、これに玄米等の種子を所定の時間水没させて、発芽を促すといった方法である。
【発明の開示】
【発明が解決しようとする課題】
【０００３】  侵漬させるためには、一般的に、種子（材料）が、その生命活動としての発芽現象に必要とする水分量をはるかに越えた量（数百から数千倍）を使用せざるを得ないため、水の利用効率が低い、また、それにともない、にがりの利用効率も同様に低くなる。【０００４】  上記理由にともない、全体的な生産コストが高くなる。【０００５】  材料が長時間水没しているため、材料表面から良質な栄養成分が水中に流出してしまい、結果として、製品の品質が低下する。【０００６】  さらに、流出した栄養成分を利用して、水中に種々の有害な雑菌類が増殖し、製品（種子）を汚染する。【０００７】  侵漬の期間中、種子が発芽に必要とする酸素が不足しがちとなり、結果として、発芽率の低下等、品質のバラツキを生じやすい。
【課題を解決するための手段】
【０００８】  発芽工程において、水、にがり、又は水とにがりの混合液を、霧状の微細な粒子（水滴）にした状態で、空気中において、材料となる種子と接触させることを特徴とした発芽促進法。
【発明の効果】
【０００９】  本発明によれば、使用する水、にがりの利用効率を高め、また、栄養成分の流出を減少させ、さらには均一な酸素供給をも行うことができ、もって、生産コストの低減、品質の向上を期待することができる。
【発明を実施するための最良の形態、実施例】
以下、本発明の実施の形態として、一実施例を図１にもとづいて説明する。なお、この例では使用する材料（種子）を玄米とするが、本発明はこれに限定されることはない。
【００１０】  図において、１は液体タンクであり、これににがりと水を投入する。２は１より送られてくる混合液を、微細粒子に変換する装置である。変換するサイズは粒径１ミリメートル以下が望ましい。また、変換する原理は、超音波法、圧力変化法等、多々あるが、どれを使ったものでも良い。
【００１１】  ３は２によって発生した粒子を導くためのパイプ。４は粒子を拡散させるためのノズル。５は発生した微細粒子（水滴）。６は玄米（材料）で、７のメッシュ板の上に、薄く広げられている。なお、７のメッシュ（穴の径）は、玄米の大きさ（粒径）よりも、小さくなければならない。
【００１２】  ８は玄米に吸収されなかった粒子を受け止め、１のタンクまで、導いてくる粒子回収板。９は外界と装置内部を隔離し、保温するための断熱板。１０は内部の温度調整用ヒ−タ−。１１は内部と外部の換気用窓である。
【００１３】  以上、上記構成の動作、流れを説明する。２の粒子（水滴）発生装置から作り出された微粒子５は、３を通り、４の拡散ノズルより、下方へ放出され、６の玄米へ到達する。この間、粒子５は、空気中の酸素と接触し、ガス交換作用により、その内部に酸素を取り込む。なお、この粒子サイズが小さければ小さいほど、空気中に浮遊している時間が長くなり、溶け込む酸素の量も多くなる。
【００１４】  次に、６に到達した粒子５は、玄米の表面に接触し、一部は玄米内部に浸透し、浸透しなかった分は、７の穴を通り抜け、８の回収板に衝突し、さらにその板に沿って移動し、１の液体タンクに回収される。また、１１の窓によって新鮮な外気が装置内に供給されることにより、内部の酸素が不足することはない。
【００１５】  なお、上記動作中、玄米は水中（液体中）に水没することなく、常に表面の一部と空気（酸素）が直接的に接触しているため、酸欠になることがない。また、同様の理由により、表面からの栄養分の流出を少なくすることもできる。さらには使用する水、にがりの総量も（表面を湿らせるに足る量でよいことから）従来の侵漬法よりも少なくてすむ。
【図面の簡単な説明】
【００１６】
【図１】  本発明の一実施例を発芽促進装置の断面図
【符号の説明】
【００１７】  １    液体タンク
２    微細粒子発生装置
３    粒子移動パイプ
４    拡散ノズル
５    微細粒子（水滴）
６    玄米（材料）
７    メッシュ板
８    粒子回収板
９    断熱板
１０  温度調整用ヒ−タ−
１１  換気窓
【図１】
2006217904.tif 000003
(57)【要約】【課題】  従来の写真の前面印刷や余白を残した印刷に見られるような画一的で不自然な周辺の仕舞いを排除し、画像の周辺の納まりの違和感を解消した画像の縁飾りに関するものである。【解決手段】画像１を表示するに際し、画像１内のモチーフ２、３・・・の何れかと同色調の縁飾り６を画像１の周辺に施すことにより、画像の周辺の仕舞いを自然に処理し、観る者に安心感を与えることが出来る。また、当該縁飾りの濃度を淡いものとすることにより、縁飾りがでしゃばらず、画像を引き立てることになる。【選択図】図３
2006217191.tif 000002
【特許請求の範囲】
【請求項１】
画像１を表示するに際し、画像１内のモチーフ２、３・・・の何れかと同色調の縁飾り６を画像１の周辺に施して成ることを特徴とする画像表示物。
【請求項２】
表示が印刷である請求項１に記載の画像表示物。
【請求項３】
表示がディスプレイである請求項１に記載の画像表示物。
【請求項４】
縁飾り６と画像の境界をぼかしたことを特徴とする請求項１乃至３に記載の画像表示物。
【請求項５】
画像１のモチーフ２、３・・・の何れかを選んでその選んだモチーフの色調により画像の周辺に縁飾りを施すことを特徴とする画像装飾方法。
【発明の詳細な説明】
【技術分野】
【０００１】
本発明は、画像の周辺の納まりを良くすることができる画像表事物と画像装飾方法に関するものである。
【背景技術】
【０００２】
従来から写真などの画像を表示する場合、一般に周辺に余白を残す方法と全面に表示する方法とがある。近年、デジカメ等による画像をプリンタの進歩により簡単に全面印刷ができるようになり、前面印刷の方に移行しつつあるように見受けられる。
【０００３】
いずれもアルバムなどに収納保存する場合はあまり気にならないが、絵葉書にしたり、大きなサイズにして飾る場合、周辺に白い余白があるのは不自然である。然るに全面印刷の場合は周辺の納まりが悪く、額等に入れる場合も一般に何らかの縁取りを施すことによりバランスを取って全体に落ち着きを与えようとしているが、額に付属の縁取りは幅や色調が画像とは全く無関係に設定されているため、画像によっては違和感が生じる場合も少なくないのが実情である。
【発明の開示】
【発明が解決しようとする課題】
【０００４】
本発明は、画像に応じて最適の、或いは好みに応じた色調の縁飾りを画像自体に施すことにより、従来の違和感を解消することができる画像表事物と画像装飾方法を提供するものである。
【課題を解決するための手段】
【０００５】
本発明の主たる特徴は、画像１を表示するに際し、画像１内のモチーフ２、３・・・の何れかと同色調の縁飾り６を画像１の周辺に施したことである。
【発明の効果】
【０００６】
本発明にあっては上述のように、画像１を表示するに際し、画像１内のモチーフ２、３・・・の何れかと同色調の縁飾り６を画像１の周辺に施したから、画像の周辺が唐突に切れて終わらず、何れかのモチーフの色調で余韻を残して納まるものであって、観る者に安心感を与えることができる。ことに同じ色調でも淡い濃度に設定すれば一層顕著である。
ものである。
【０００７】
また、モチーフがいくつかある場合には、そのいずれに色調を合わせるかによって、同じ画像であっても異なる印象を与えることができる。
【０００８】
更に、画像自体に縁飾りが施されるので、額などに入れる場合でも別途縁飾りが不要となり、コストを低減することができる。
【発明を実施するための最良の形態】
【０００９】
以下本発明を添付図面に基づき詳細に説明する。図１は一般的な写真を示し、前面印刷したもので、素材２、３、４のより画像１が形成されていて、その周辺は唐突に終端に至り、納まりが悪い。
【００１０】
一方、図２は縁に余白５を残したもので、画像１の素材２、３、４や全体の色調とも無関係に白が一般的であるが、画像１全体から判断して一般的には可も無く不可も無い程度で、しっくりした納まりは望むべくも無い。
【００１１】
しかして図３の場合は、素材２の色調を選定し、それと同系色の、そして好ましくはやや淡い濃度の入りを選定し、その色調の縁飾り６を画像周辺に施すものである。これは一般にコンピュータの画像処理で行なうことができるので、ディスプレイに表示する場合、インターネットで配信する場合、或いはプリンタでの印刷により画像表事物を得ることができる。縁飾りの濃度を淡いものとした場合には、縁飾りがでしゃばらず、画像を引き立たせることができる。
【００１２】
また、縁飾り６は任意の幅や、或いは丸や楕円、ハート型、三角形等任意の形状に設定でき、更には、縁飾り６と画像１との境界は、シャープに設定することもできるが、ボケをいれて漸次自然に画像に溶け込むようにすることができ、この場合は観る者により一層の安心感を与えることができる。
【００１３】
例えば素材２が花で赤、素材３が葉で緑、素材４が背景でブラウンの場合、赤に注目する場合は、赤をベースに同系色の中で淡い薄紅色をぼかして縁飾り６を構成することができる。葉をメインに捉える時は薄い草色の縁飾り６を構成すると、前者とは違った印象の構成とすることができる。
【産業上の利用可能性】
【００１４】
本発明にあっては、画像のディスプレイ上での表現、紙面へに印刷等、画像を表現するものであれば写真意外にでも絵画の表現にでも適用することができる。本発明を適用すれば、額を用いることなく周辺の装飾を施すことができると共に、画像の素材の何れかを強調しながらも、調和の取れた違和感の無い周辺の仕舞いを施すことができるものである。周辺に画像と縁飾りにいわば断層的な不連続部が生じないので観た者が安らぎを覚えるものであって、癒しの効果も期待できる。
【図面の簡単な説明】
【００１５】
【図１】一般的な画像の前面表示の平面図。
【図２】一般的な画像の縁に余白を残した表示の平面図。
【図３】本発明の画像例の平面図。
【符号の説明】
【００１６】
１  画像 
２〜４  素材
５  余白
６  縁飾り
【図１】
2006217191.tif 000003
【図２】
2006217191.tif 000004
【図３】
2006217191.tif 000005
(57)【要約】【課題】加工サイクルを大幅に短縮する。【解決手段】  ワークＷに所定情報をマーキングするマーキング装置であって、マーキングヘッド１の送り量誤差を解消するために当該マーキングヘッド１をマーキング位置から基準位置へ戻すＸ−Ｙ送りテーブル２１を備えている。コントローラは、マーキング位置から基準位置へのマーキングヘッド１の後退と、基準位置からマーキング位置へのマーキングヘッド１の前進をワークＷの加工時間内に行うようにＸ−Ｙ送りテーブル２１を制御する。【選択図】        図１
2006212900.tif 000002
【特許請求の範囲】
【請求項１】
ワークに所定情報をマーキングするマーキング装置であって、マーキングヘッドの送り量誤差を解消するために当該マーキングヘッドをマーキング位置から基準位置へ戻すヘッド送り手段を備えるマーキング装置において、前記マーキング位置から前記基準位置への前記マーキングヘッドの後退と、前記基準位置から前記マーキング位置への前記マーキングヘッドの前進をワークの加工時間内に行うように前記ヘッド送り手段を設定したことを特徴とするマーキング装置。
【発明の詳細な説明】
【技術分野】
【０００１】
本発明はマーキング装置に関し、特に、ワークに品質管理等のための二次元コードや文字等を直接マーキングするマーキング装置に関する。
【背景技術】
【０００２】
この種のマーキング装置として、マーキングペンによってワークに二次元コードや文字等の所定情報を直接打刻するものが知られている。この場合、マーキングヘッドをパルスモータ駆動のＸ−Ｙ送りテーブル等によって、加工を終えたワークの所定部に対向するマーキング位置へ移動させ、マーキングヘッドのスタイラスを作動させて上記所定部に打刻マーキングを行っている。なお、特許文献１には打刻マーキング装置の一例が開示されている。
【特許文献１】特開２００２−３４７３９４
【発明の開示】
【発明が解決しようとする課題】
【０００３】
ところで、従来は図３に示すように、各加工サイクルにおいて、ワークの加工（計測等を行う場合を含む）が終了した後に、マーキングヘッドをマーキング位置へ前進させて打刻を行い、その後、カウンタでの送り量誤差が累積されるのを防止するために、マーキングヘッドを、機械的ストッパを設けた基準位置へ後退させて送り量カウンタのリセットを行なっている。このため、次の加工を始めるまでのアイドルタイムＴ３が長くなり、加工時間Ｔ１とアイドルタイムＴ３を足した加工サイクルが延びて生産効率が悪いという問題があった。
【０００４】
そこで、本発明はこのような課題を解決するもので、加工サイクルを大幅に短縮することができるマーキング装置を提供することを目的とする。
【課題を解決するための手段】
【０００５】
上記目的を達成するために、本発明では、ワーク（Ｗ）に所定情報をマーキングするマーキング装置であって、マーキングヘッド（１）の送り量誤差を解消するために当該マーキングヘッド（１）をマーキング位置から基準位置へ戻すヘッド送り手段（２１，３）を備えるマーキング装置において、マーキング位置から基準位置へのマーキングヘッド（１）の後退と、基準位置からマーキング位置へのマーキングヘッド（１）の前進をワーク（Ｗ）の加工時間（Ｔ１）内に行うようにヘッド送り手段（２１，３）を設定する。
【０００６】
本発明においては、マーキング位置から基準位置へのマーキングヘッドの後退と、基準位置からマーキング位置へのマーキングヘッドの前進がワークの加工時間内に行われるから、次の加工を始めるまでのアイドルタイムはマーキングための時間のみとなってアイドルタイムが短かくなる。これにより、加工サイクルが短縮され、加工効率が大幅に向上する。
【０００７】
なお、上記カッコ内の符号は、後述する実施形態に記載の具体的手段との対応関係を示すものである。
【発明の効果】
【０００８】
以上のように本発明のマーキング装置によれば、加工サイクルを大幅に短縮して生産効率を向上させることができる。
【発明を実施するための最良の形態】
【０００９】
図１には打刻マーキング装置の構成の一例を示す。図１において、マーキングヘッド（エアペン）１は圧縮空気圧によって振動させられるスタイラスを内蔵しており、このスタイラスの作動によってワークＷの所定部表面に二次元コード等が打刻される。マーキングヘッド１の基端は本体２内に設けたＸ−Ｙ送りテーブル２１に支持されており、マーキングヘッド１は送りテーブル２１によってワークＷ表面に沿う水平面内を、上記ワークＷの所定部に対向するマーキング位置と、機械的ストッパを設けた基準位置との間で移動可能である。本体２内の通信インターフェース２２はコントローラ３に接続されている。当該コントローラ３はシーケンサ４からの指令に基づき、通信インターフェース２２を介してＸ−Ｙ送りテーブル２１のパルスモータを駆動して、マーキングヘッド１を上記マーキング位置と基準位置との間で移動させるとともに、マーキング位置にて、スタイラスへの圧縮空気の供給とマーキングヘッドの移動を制御して、ワークＷ表面に所定の二次元コード等を打刻させる。
【００１０】
本実施形態において、シーケンサ４の指示に基づく加工サイクルは図２に示すように行われる。すなわち、図２において、ワークの加工（計測等を行う場合を含む）が始まると、マーキング位置にあるマーキングヘッド１が基準位置へ後退させられて、この状態でコントローラ３内の送り量カウンタがリセットされる。その後、マーキングヘッド１は再びマーキング位置へ前進させられる。これらの行程はワークＷの加工時間Ｔ１内に終了される。ワークＷの加工が終わると、即座に打刻が行われる。打刻が終了すると、次の加工サイクルが開始される。
【００１１】
このように本実施形態においては、マーキング位置から基準位置へのマーキングヘッド１の後退と、基準位置からマーキング位置へのマーキングヘッド１の前進がワークＷの加工時間Ｔ１内に行われるから、次の加工を始めるまでのアイドルタイムＴ２は打刻のための時間のみとなってアイドルタイムＴ２が短かくなる。これにより、加工サイクルが短縮され、加工効率が大幅に向上する。  
【図面の簡単な説明】
【００１２】
【図１】本発明の一実施形態を示す、マーキング装置の全体構成図である。
【図２】本発明のマーキング装置の加工タイムチャートである。
【図３】従来のマーキング装置の加工タイムチャートである。
【符号の説明】
【００１３】
１…マーキングヘッド、２…本体、２１…Ｘ−Ｙ送りテーブル、３…コントローラ、４…シーケンサ、Ｗ…ワーク。
【図１】
2006212900.tif 000003
【図２】
2006212900.tif 000004
【図３】
2006212900.tif 000005
(57)【要約】【課題】  雨天や濡れている道、道路を歩行及び軽いランニング等を行うときに最初に濡れや汚れが生じる裾からふくらはぎにかけての部分を防止し、簡単に脱着可能で手軽に使用できる履物用泥除け具を提供する。【解決手段】  任意の履物のかかと部に取り付ける装着体と、該装着体に回動可能に取り付ける取り付け機構を介して設けられた泥除けとよりなり、前記取り付け機構は前記泥除けを歩行時に発生する泥はねを履物に届かないように受ける位置と履物にそった位置に位置調整可能に回動するものであることを特徴とする履物用泥除け具。【選択図】  図１
2006212170.tif 000002
【特許請求の範囲】
【請求項１】
任意の履物の踵部に取り付ける装着体と、該装着体に回動可能に取り付ける取り付け
機構を介して設けられた泥除けとよりなり、前記取り付け機構は前記泥除けを歩行時に
発生する泥はねを履物に届かないように受ける位置と履物にそった位置に位置調整可能
に回動するものであることを特徴とする履物用泥除け具。
【発明の詳細な説明】
【技術分野】
【０００１】
本発明は、履物の踵部に装着することで、雨天や濡れている道、道路での歩行時や軽
いランニング時等の踵からの水跳ねや泥跳ねを防止する履物用泥除け具に関するもので
ある。
【背景技術】
【０００２】
雨天や濡れている道、道路での歩行や軽いランニング等を行うときには、長靴や雨靴、
靴専用の雨具を使用していた。
【発明の開示】
【発明が解決しようとする課題】
【０００３】
しかし、長靴や雨靴、靴専用の雨具を使用するときは、持ち運びや装着時の手間等が
かかる。また、行動する先々により他の履物に履き替えの必要があり、日常的にはあま
り使用されないことが多い。
【０００４】
雨天や濡れている道、道路を歩行及び軽いランニング等を行ったときに最初に濡れや
汚れが生じる部分は、踵からの水跳ねや泥跳ねによる、裾からふくらはぎにかけての部
分である。
【０００５】
本発明は、このような問題を解決しようとするもので、雨天や濡れている道、道路を
歩行及び軽いランニング等を行うときに最初に濡れや汚れが生じる部分を防止し、簡単
に脱着可能で手軽に使用できることを目的とするものである。
【課題を解決するための手段】
【０００６】
任意の履物の踵部に取り付ける装着体と、該装着体に回動可能に取り付ける取り付け
機構を介して設けられた泥除けとより構成される。そして、前記取り付け機構は前記泥
除けを歩行時に発生する泥はねを履物に届かないように受ける位置と履物にそった位置
に位置調整可能に回動するものである。以上を特徴とする履物用泥除け具である。
【発明の効果】
【０００７】
本発明は、雨天や濡れている道、道路での歩行や軽いランニング等を行うときに生じ
る裾からふくらはぎにかけての濡れや汚れを防止することができる。また、混み合った
所やしゃがんだ時、立膝時等、不要なときには泥除けを上げておけるため邪魔にならな
い。
そして、手軽に持ち運びができ、簡単に脱着可能である。
【発明を実施するための最良の形態】
【０００８】
以下、本発明の実施の形態について図１〜図８を用いて説明する。
本発明は装着体と、泥除けと、取り付け機構とより構成される。
装着体は弾性を有する板状物を図１に示すように任意の履物の踵部に後部から差込で
きる略Ｕ字形状にしたものである。装着体左右開放端手前は狭持支持支点となっており、
この支持支点から先端に向けて外側に反った形状となっている。
装着体の左右支持支点位置の内側には図５に示すように突起部（２ａ）がそれぞれ設
けられている。
装着体の左右支持支点位置には、図２に示すように補助支持部（３ａ）がそれぞれ立
設されており、各補助支持部（３ａ）の先端付近内側には図５に示すようにそれぞれ突
起部（２ｂ）が設けられている。
装着体後部中央には補助支持部（３ｂ）が立設されており、補助支持部（３）の先端
付近内側には図５に示すように上下に突起部（２ｃ）が設けられている。
また、図１に示すように装着体後部には後方に突出した支持部（４）が左右対称に設
けられており、各支持部（４）には図２に示すように内側からピン穴（５）が設けられ
ている。
泥除け（６）は、図１及び図４に示すように前記装着体の支持部（４）幅間に収まる
幅の軸着部（７）と、軸着部から延設された泥返し部（８）より構成されている。軸着
部（７）には、左右に貫通したピン通し孔（９）が設けられている。
また、軸着部（７）には、図５に示すように泥返し部と反対方向へ突出した廻り止め
（１０）が設けられている。
泥返し部（８）は幅広状となっており、中間位置から先端に向けて下方に沿った形状
となったものである。
取り付け機構は、装着体と泥除けを回動可能に取り付けるものであり、本事例におい
ては支軸ピン（１１）と回動抵抗を与えるための左右に取り付けるワッシャ（１２）が
用いられている。この支軸ピン（１１）を前記泥除け（６）のピン通し孔（９）に通し、
左右の突出した支軸ピン（１１）にそれぞれワッシャ（１２）を嵌めたうえで前記装着
体の支持部（４）のピン穴（５）に通すことで取り付けられる。
本発明は以上の構成よりなる。
本発明を使用するときは、図６及び図７に示すように任意の履物の踵部に上記装着体
（１）を後部から差込みをするか、前記装着体の左右開放端を広げ、水平に挟み込み固
定する。次いで、図５に示すように泥除け（６）を装着体（１）と水平方向に、廻り止
めが作用する位置まで回動させる。
そして、図９に示すように、歩行時の踵からの水跳ね及び泥跳ねは泥返し部（８）に
より防ぐことができる。
また、混み合った所やしゃがんだ時、立膝時等、不要なときには図８に示すように泥除
け（６）を上げておくことができる。
【図面の簡単な説明】
【０００９】
【図１】本発明の上面図
【図２】図１に対しての正面図
【図３】図１に対しての右側面図
【図４】図２に対しての分解図
【図５】廻り止めが作用している状態を示す断面図
【図６】本発明の装着状態を示す上面図
【図７】図６に対しての正面図
【図８】本発明の装着未使用状態を示す図
【図９】本発明の使用状態を示す図
【符号の説明】
【００１０】
１  装着体
２；２ａ；２ｂ；２ｃ  突起部
３；３ａ；３ｂ  補助支持部
４  支持部
５  ピン穴
６  泥除け
７  軸着部
８  泥返し部
９  ピン通し孔
１０  廻り止め
１１  支軸ピン
１２  ワッシャ
【図１】
2006212170.tif 000003
【図２】
2006212170.tif 000004
【図３】
2006212170.tif 000005
【図４】
2006212170.tif 000006
【図５】
2006212170.tif 000007
【図６】
2006212170.tif 000008
【図７】
2006212170.tif 000009
【図８】
2006212170.tif 000010
【図９】
2006212170.tif 000011